(57)【要約】【課題】本発明は、固定網への負荷が低減されたソフトハンドオフ方法の提供を目的とする。【解決手段】本発明によれば、移動局が、無線チャネルを介して、複数の基地局からの下り信号の受信及び複数の基地局への上り信号の送信を行うセルラー移動通信網は、移動局に複数の基地局から下り信号の信号品質の測定を行うとともに、所望の信号品質を示す下り信号の基地局を選択する選択手段と、複数の基地局のうち、移動局との、その後の通信のために選択された基地局を示す上り信号を送信する送信手段と、複数の基地局の中から選択された基地局を示す上り信号を処理する処理手段と、を有する。【選択図】　　　　図７
2004007643.tif 000002
【特許請求の範囲】
【請求項１】
移動局が、無線チャネルを介して、ハンドオフモードにある複数の基地局からの下り信号の受信及び複数の基地局への上り信号の送信を行うセルラー移動通信網であって、
前記移動局は、
前記ハンドオフモードにある複数の基地局から下り信号の信号品質の測定を周期的に行うとともに、一番良い信号品質を示す下り信号の基地局一つを選択する選択手段と、
複数の基地局のうち、前記選択手段により選択された基地局を示す上り信号を周期的に送信する送信手段と、
を有し、
前記ハンドオフモードにある複数の基地局の各々は、
複数の基地局から選択された基地局を示す上り信号を処理する処理手段と、
前記上り信号により選択された基地局はその後の下り信号を送信し、前記上り信号により選択されていない基地局はその後の下り信号を送信しないよう周期的に制御する制御手段と、
を有する、
ことを特徴とするセルラー移動通信網。
【請求項２】
無線チャネルを介して、ハンドオフモードにある複数の基地局の各々からの下り信号の受信及び前記複数の基地局への上り信号の送信が可能な移動局であって、
前記複数の基地局からの下り信号の信号品質を周期的に測定するとともに、一番良い信号品質を示す下り信号の一つの基地局を選択する選択処理手段と、
複数のハンドオフモードにある基地局のうち、移動局との、その後の通信のために選択された一つの基地局を示す上り信号を周期的に送信する送信手段と、
を有することを特徴とする移動局。
【請求項３】
移動局が、無線チャネルを介して、ハンドオフモードにある複数の基地局からの下り信号の受信及び複数の基地局への上り信号の送信を行うセルラー移動通信網で使用される前記基地局であって、
前記移動局が複数の基地局から受信する下り信号に基づいて複数の基地局から選択された基地局を示す上り信号を受信し、処理する処理手段と、
前記上り信号により選択された基地局はその後の下り信号を送信し、前記上り信号により選択されていない基地局はその後の下り信号を送信しないよう周期的に制御する手段と、
を有する、
ことを特徴とする基地局。
【発明の詳細な説明】
【０００１】
【発明の属する技術分野】
【０００２】
本発明は、符号分割多元接続（ＣＤＭＡ）セルラーネットワークのようなセルラー移動通信ネットワークに関する。
【０００３】
【従来の技術】
図１には、１９９４年１０月の米国電子通信工業会（ＴＩＡ）／電子工業会（ＥＩＡ）規格であるＳｔａｎｄａｒｄ　ＴＩＡ／ＥＩＡ／ＩＳ−９５に準拠したセルラー移動電気通信ネットワークの一部が示されている。３局の基地トランシーバー局（ＢＴＳ）４の各局ＢＴＳ１、ＢＴＳ２及びＢＴＳ３は、固定ネットワーク５を介して基地局コントローラ（ＢＳＣ）６に接続され、ＢＳＣは移動交換センタ（ＭＳＣ）７に接続される。ＢＳＣ６は、たとえば、無線チャネル割り当て及びハンドオフにより、接続されたＢＴＳ４の無線リソースを管理する。ＭＳＣ７は、交換機能を有するとともに位置登録及び呼出制御を行う。
【０００４】
各ＢＴＳ４は、セル８にサービスを行う。移動局（ＭＳ）１０が、二つ以上のセルが重なり合う、いわゆるソフトハンドオフ（ＳＨＯ）領域にあるとき、移動局は、重なり合うセルのそれぞれのＢＴＳから同等の強度及び品質を有す送信信号（ダウンリンク信号）を受信可能である。移動局（ＭＳ）によって生成された送信信号（アップリンク信号）は、移動局がＳＨＯ領域９にあるとき、これら異なるＢＴＳによって同等の強度及び品質で受信可能である。
【０００５】
図２には、ＭＳ１０がＳＨＯ領域９内に存在し、複数のＢＴＳ４によって受信されるようなアップリンク信号を送信する状況が示されている。ＩＳ９５標準によると、このようなアップリンク信号をＭＳ１０から受信するＢＴＳ４は、その信号を、固定ネットワーク５の専用コネクションラインを介して、ＢＳＣ６に中継する。ＢＳＣ６では、各受信信号の品質の比較に基づいて、中継された信号の中から一つの信号が選択され、選択された信号はＭＳＣ７に中継される。この信号の選択は、セレクション・ダイバーシチと呼ばれる。
【０００６】
同様に、図３には、ＭＳ１０がＳＨＯ領域９内に存在し、複数のＢＴＳ４からダウンリンク信号を受信する状況が示されている。ＩＳ９５標準によれば、ＢＳＣ６によって受信されたＭＳＣ７からのダウンリンク信号は、固定ネットワーク５のそれぞれのコネクションラインを介して、ソフトハンドオフＳＨＯに含まれる全てのＢＴＳ４に中継され、次に、全てのＢＴＳ４によってＭＳ１０に送信される。ＭＳ１０において、多数の信号は、たとえば、最大比合成法（ＭＲＣ）を用いて合成され、或いは、多数の信号の中の一つの信号が信号強度又は信号品質に基づいて、すなわち、アップリンクの場合と同じようにセレクション・ダイバーシチを用いて選択される。
【０００７】
たとえば、欧州デジタル移動電話方式（Ｇｌｏｂａｌ　Ｓｙｓｔｅｍ　ｆｏｒ　Ｍｏｂｉｌｅ　Ｃｏｍｍｕｎｉｃａｔｉｏｎ：ＧＳＭ）ネットワークに対し、ＣＤＭＡネットワークの場合、各ＢＴＳ４は同じ周波数で送信する。その結果として、干渉問題を最小限に抑えるために、送信電力を慎重に制御し続ける必要がある。
【０００８】
ＩＳ９５標準によると、信号は一連のフレームによって送信される。図４に示されるように、各フレーム長は２０ｍｓであり、フレームは１６個の１．２５ｍｓのタイムスロットを含む。タイムスロット毎に、数ビットのユーザデータ及び／又は制御情報が送信される。
【０００９】
ＭＳ１０からＢＴＳ４への送信電力の制御（アップリンク電力制御）は、ＩＳ９５では以下のようにして達成される。ＢＴＳ４がＭＳ１０から信号を受信したとき、ＢＴＳ４は、予め決められた受信信号の特性（たとえば、絶対信号レベル、信号対雑音比（ＳＮＲ）、信号対干渉比（ＳＩＲ）、ビット誤り率（ＢＥＲ）又はフレーム誤り率（ＦＥＲ））が予め選択された閾値レベルを超えるかどうかを判定する。この判定に基づいて、ＢＴＳ４は、ＭＳ１０に対し、次のタイムスロットにおける送信電力を減少若しくは増加させることを命令する。
【００１０】
この目的のため、ＢＴＳ４からＭＳ１０へのパイロットチャネル（ＰＣＨ）の全てのタイムスロット中の２ビットは、アップリンク電力制御のため割り付けられる（図４を参照のこと）。両方のビットは同じ値をとるので、以下の説明では、単数形で電力制御ビット（ＰＣＢ）と称する。ＭＳ１０が送信電力を１ｄＢだけ増加させることを要求される場合、電力制御ビットにはＢＴＳ４によって値０が割り当てられ、ＭＳ１０が送信電力を１ｄＢだけ減少させることを要求される場合、電力制御ビットには値１が割り当てられる。ＢＴＳ４は、ＭＳ１０が同じ送信電力を維持するよう直接的に要求し得ず、電力制御ビットに１と０を交互に送ることによって、送信電力が同じレベルに維持される。
【００１１】
ＭＳ１０がＳＨＯ領域９内に存在するとき、ＭＳ１０は、ソフトハンドオフに含まれた各ＢＴＳ４から受信された複数の電力制御ビットに基づいて、アップリンク送信電力を増加すべきか、又は、減少すべきかを決定するよう要求される。その結果として、論理和（ＯＲ）関数演算が全ての電力制御ビットに関して行われる。このＯＲ関数演算の結果が０であるならば、ＭＳ１０はアップリンク送信の電力を増加させ、その結果が１であるならば、ＭＳ１０はアップリンク送信の電力を減少させる。かくして、アップリンク送信電力は、全てのＢＴＳ４が増加を要求する場合に限り増加される。
【００１２】
ＢＴＳ４からＭＳ１０への送信電力の制御（ダウンリンク電力制御）は、ＩＳ９５の場合に、以下のように達成される。ＭＳ１０が、トラヒックチャネル（ＴＣＨ）を介して、ＢＴＳ４（或いは、ソフトハンドオフ動作中の複数のＢＴＳの中の各ＢＴＳ）からダウンリンク信号を受信したとき、トラヒックチャネル信号が、たとえば、雑音によって損なわれる程度を反映した信号のＦＥＲは、ＭＳ１０によって計算される。このＦＥＲは、次に、ＭＳ１０によって、当該ダウンリンク信号を送信したＢＴＳ４に中継され、ＢＴＳ４は、ダウンリンク送信電力に変更を加えるべきか否かを決めるためこのＦＥＲを使用する。
【００１３】
上記のソフトハンドオフシステムは、ＭＳ１０が個別のセルの境界付近のセルオーバーラップ領域に存在する場合に、ＭＳ１０とネットワークの間の信号伝送を向上させる際に有効である。１局のＢＴＳ４を使用する際のこれらの領域における信号品質は余り良好ではないが、２局以上のＢＴＳ４を使用することにより、信号品質は実質的に改善される。
【００１４】
【発明が解決しようとする課題】
しかし、ＩＳ９５によるソフトハンドオフシステムは、上述のアップリンクとダウンリンクの両方の場合に、ＢＳＣ６と、ソフトハンドオフに関連した各ＢＴＳ４の間で、同じデータ及び／又は制御情報を伝搬する信号を送信する必要があるため、固定ネットワーク５の信号トラヒック（バックホール）を増加させる欠点がある。このような送信の重複は、以下の二つの理由から望ましくない。第一に、固定ネットワークにより多くのトラヒック輻輳を生じさせることである。第二に、固定ネットワーク基盤施設を保有しない移動サービスプロバイダー（すなわち、移動サービスユーザ）の経費負担が非常に大きい。
【００１５】
したがって、ソフトハンドオフの通常の恩恵を供与すると共に、固定ネットワークへの負荷を低減することができる改良されたソフトハンドオフ方法が望ましい。
【００１６】
【課題を解決するための手段】
本発明の第１の局面によれば、セルラー移動通信ネットワークは、
移動局と、
上記移動局からアップリンク信号を受信する複数のトランシーバー局と、
上記基地トランシーバー局に接続され、上記基地トランシーバー局からアップリンク信号を受信する基地局コントローラ手段とを有し、
上記移動局は、ネットワーク内の２局以上の上記基地トランシーバー局と関連したソフトハンドオフ動作中に、ソフトハンドオフ動作に関連した全ての基地トランシーバー局に対し、上記移動局と着目中の基地トランシーバー局との間の通信チャネルの特性を示す信号測定値を送信される一つ以上のアップリンク信号に組み込むように動作可能であり、
上記基地トランシーバー局の中の少なくとも１局は、ソフトハンドオフ動作に関連する場合に、ソフトハンドオフ動作に関連した１局以上の他の基地トランシーバー局に対する信号測定値の評価に基づいて、上記移動局から受信したアップリンク信号を上記基地局コントローラ手段へ転送しないように動作可能であるソフトハンドオフ制御手段を含む。
【００１７】
本発明の第２の局面によれば、セルラー移動通信ネットワークにおいて使用される移動局は、
アップリンク信号をネットワークの基地トランシーバー局へ送信する送信手段と、
上記送信手段に接続され、上記ネットワークの複数の基地トランシーバー局と関連したソフトハンドオフ動作中に、上記送信手段に、ソフトハンドオフ動作に関連した全ての上記基地トランシーバー局に関して、上記移動局と着目中の基地トランシーバー局との間の通信チャネルの特性を表すための信号測定値を、送信される一つ以上のアップリンク信号に含めるよう動作可能な信号情報処理手段とを具備する。
【００１８】
本発明の第３の局面によれば、セルラー移動通信ネットワークにおいて使用される基地トランシーバー局は、
ネットワークの移動局から、上記移動局がこの基地トランシーバー局と上記ネットワークの少なくとも１局の別の基地トランシーバー局とが関連するソフトハンドオフ動作に関与しているとき、ソフトハンドオフ動作に関連した全ての上記基地トランシーバー局に関して、上記移動局と着目中の基地トランシーバー局との間の通信チャネルの特性を表すため役立つそれぞれの信号測定値を組み込む一つ以上のアップリンク信号を受信する受信手段と、
ソフトハンドオフ動作に関連しているときに、同じソフトハンドオフ動作に関連した１局以上の他の基地トランシーバー局に対する信号測定値の評価に基づいて、上記移動局から受信したアップリンク信号をネットワークの基地コントローラ手段へ転送しないことを決めるように動作可能であるソフトハンドオフ制御手段とを具備する。
【００１９】
本発明の第４の局面によれば、セルラー移動通信ネットワークにおいて使用されるソフトハンドオフ制御方法は、
ネットワーク内の２局以上の基地トランシーバー局と関連したソフトハンドオフ動作が実行されるとき、
移動局が、ソフトハンドオフ動作に関連した全ての上記基地トランシーバー局に関して、上記移動局と着目中の基地トランシーバー局との間の通信チャネルの特性を表すため役立つそれぞれの信号測定値を、送信されるアップリンク信号中に組み込み、
上記関連した基地トランシーバー局の中の少なくとも１局で、このソフトハンドオフ動作と関連した１局以上の別の基地トランシーバー局の信号測定値が評価され、
その評価に基づいて、上記移動局から受信されたアップリンク信号をネットワーク内の基地局コントローラへ転送すべきか否かを判定する。
【００２０】
本発明の第５の局面によれば、セルラー移動通信ネットワークは、
移動局と、
上記基地局へダウンリンク信号を送信し、上記移動局からアップリンク信号を受信する複数の基地トランシーバー局と、
上記基地トランシーバー局に接続され、ダウリンク信号を上記基地トランシーバー局へ供給する基地局コントローラ手段とを含み、
上記移動局は、ネットワークの１局以上の上記基地トランシーバー局と関連したソフトハンドオフ動作中に、ソフトハンドオフ動作に関連した全ての上記基地トランシーバー局に関して、上記移動局と着目中の基地トランシーバー局との間の通信チャネルの特性を表すため役立つそれぞれの信号測定値を生成し、
ソフトハンドオフ動作に関連した上記基地トランシーバー局の中から、後続の一つのダウンリンク信号を上記移動局へ送信するため使用されるべき基地トランシーバー局を決定するため上記生成された信号測定値を利用し、上記基地局コントローラ手段に上記後続のダウンリンク信号を上記決定された基地トランシーバー局だけに送信させる基地トランシーバー局選択手段が更に設けられている。
【００２１】
本発明の第６の局面によれば、セルラー移動通信ネットワークにおいて使用される移動局は、
アップリンク信号をネットワークの基地トランシーバー局へ送信する送信手段と、
上記送信手段に接続され、上記ネットワークの複数の基地トランシーバー局と関連したソフトハンドオフ動作中に、ソフトハンドオフ動作に関連した全ての上記基地トランシーバー局に関して、上記移動局と着目中の基地トランシーバー局との間の通信チャネルの特性を表すため役立つそれぞれの信号測定値を生成するよう動作可能であり、ソフトハンドオフ動作に関連した上記基地トランシーバー局の中から、後続の一つのダウンリンク信号を上記移動局へ送信するため使用されるべき基地トランシーバー局を決定するため上記生成された信号測定値を利用し、上記送信手段に、上記決定された基地トランシーバー局を識別する基地トランシーバー局選択メッセージを送信されるアップリンク信号中に含めるよう動作可能な信号情報処理手段とを具備する。
【００２２】
本発明の第７の局面によれば、セルラー移動通信ネットワークにおいてダウンリンク信号をネットワークの複数の基地トランシーバー局へ供給するため使用される基地局コントローラは、
移動局がネットワークの１局以上の基地トランシーバー局と関連したソフトハンドオフ動作に関与するとき、１局以上の基地トランシーバー局から、上記関連した基地トランシーバー局の中で後続の一つのダウンリンク信号を上記移動局へ送信するため使用されるべき基地トランシーバー局を識別する基地トランシーバー局選択メッセージを含む少なくとも一つのアップリンク信号を受信する受信手段と、
上記基地トランシーバー局選択メッセージを組み込む上記アップリンク信号を受信し、上記後続のダウンリンク信号を上記メッセージで識別された基地トランシーバー局だけに送信するよう動作可能であるソフトハンドオフ制御手段とを具備する。
【００２３】
本発明の第８の局面によれば、セルラー移動通信ネットワークにおいて使用されるソフトハンドオフ制御方法は、
ネットワーク内の２局以上の基地トランシーバー局と関連したソフトハンドオフ動作が実行されるとき、
移動局が、ソフトハンドオフ動作に関連した全ての上記基地トランシーバー局に関して、上記移動局と着目中の基地トランシーバー局との間の通信チャネルの特性を表すため役立つそれぞれの信号測定値を生成し、
上記生成された信号測定値は、上記関連した基地トランシーバー局の中で後続のダウンリンク信号を上記移動局へ送信するため使用される基地トランシーバー局を決定するため利用され、
上記後続のダウンリンク信号は上記ネットワークの基地局コントローラ手段によって上記決定された基地トランシーバー局だけに送信される。
【００２４】
信号測定値は、移動局と基地トランシーバー局との間の通信チャネル特性の適当な尺度、たとえば、強度測定値（電力若しくは振幅に関する受信信号強度）、品質測定値（フレーム誤り率、信号対干渉比など）、或いは、強度と品質を組み合わせた測定値である。
【００２５】
本発明の第１乃至第４の局面の好ましい実施例において、信号測定値は、ソフトハンドオフ動作に関連した基地トランシーバー局から移動局によって受信されたそれぞれの電力制御ビットである。これらの電力制御ビットは、移動局が基地トランシーバー局へのアップリンク送信電力を増加させるべきか、減少させるべきかを示すので、移動局と各基地トランシーバー局との間のアップリンクチャネル特性の測定値として好適に使用される。
【００２６】
【発明の実施の形態】
以下、添付図面を参照して本発明の実施例を詳細に説明する。
【００２７】
図５は本発明を実施する移動電気通信ネットワークの構成図である。図５の中で、図１を参照して説明した構成要素と同じ構成要素には、同じ参照番号が付され、それらについての説明は省略される。
【００２８】
図５のネットワークは、Ｕｎｉｖｅｒｓａｌ　Ｍｏｂｉｌｅ　Ｔｅｌｅｃｏｍｍｕｎｉｃａｔｉｏｎ　Ｓｙｓｔｅｍ　（ＵＭＴＳ）、又は、ＵＭＴＳ　Ｔｅｒｒｅｓｔｒｉａｌ　ｒａｄｉｏ　ａｃｃｅｓｓ（ＵＴＲＡ）と称される、新たに提案する移動電気通信に関する標準のための広帯域ＣＤＭＡ（Ｗ−ＣＤＭＡ）ネットワークである。このネットワークは、上述のＩＳ９５標準のネットワークに類似しているが、実装上の細部の一部には未だ検討の余地がある。ＩＳ９５とは異なる細部は、フレーム長が１０ｍｓであること、並びに、タイムスロット期間が６２５μｓであることである。全体的なビットレートは、毎秒８ｋビットから毎秒２Ｍビットの範囲に収まる。Ｗ−ＣＤＭＡにおけるダウンリンク電力制御は閉ループ型であり、アップリンク電力制御と同一原理に基づく。
【００２９】
図５において、３局の基地トランシーバー局（ＢＴＳ）２０（ＢＴＳ１、ＢＴＳ２及びＢＴＳ３）は、それぞれ、固定ネットワーク５を介して基地局コントローラ（ＢＳＣ）３０に接続され、基地局コントローラ３０は移動交換センタ（ＭＳＣ）７に接続される。各ＢＴＳ２０は、セル８でサービスを行う。移動局（ＭＳ）４０は、ソフトハンドオフ（ＳＨＯ）領域９内にあり、ソフトハンドオフに関係した全てのＢＴＳ２０からダウンリンク信号を受信し、全てのＢＴＳ２０へアップリンク信号を送信できる。
【００３０】
図５のネットワークは、概ね図１のネットワークと対応するが、ＭＳ４０、ＢＴＳ２０及びＢＳＣ３０は、図１における対応した構成要素とは異なる構造を有し、異なる動作を行う。
【００３１】
図６は、本発明を実施するＭＳ４０の構成図である。アンテナ素子４２は、（たとえば、図示されない送受切換器を介して）受信部４４及び送信部４６に接続される。信号選択情報処理部４８は、受信部４４から、ソフトハンドオフ動作に関連した３台の基地トランシーバー局ＢＴＳ１〜ＢＴＳ３によって生成されたそれぞれのダウンリンク信号ＤＳ１〜ＤＳ３を受信する。信号選択情報処理部４８は、ランキングメッセージＲＭ及び電力制御メッセージＰＣＭを送信部４６に供給する。
【００３２】
図７は、ＭＳがソフトハンドオフ領域９に存在する場合に、アップリンク処理を実行するＭＳ４０の信号選択処理部４８によって行われる動作を示すフローチャートである。最初に、ステップＡ１において、３局のＢＴＳは、ＭＳ４０によって受信されたそれぞれのダウンリンク信号ＤＳ１乃至ＤＳ３の所定の特性、たとえば、受信信号強度（ＲＳＳ）に基づいてランク付けされる。或いは、ランキングは、先着順に基づいて、すなわち、ＢＴＳ２０がソフトハンドオフ動作に関わるようになった順番で行ってもよい。或いは、ランキングはランダムに行ってもよい。ステップＡ２において、ＢＴＳが目下ランク付けされている順番を示すランキングメッセージＲＭが制御チャネルを介して全てのＢＴＳ２０に送信される。ランキングメッセージの送信後、処理はステップＡ３へ進む。
【００３３】
ステップＡ３からステップＡ６までのループは、トラヒックチャネル（ＴＣＨ）とダウンリンク方向の関連付けられた制御チャネル（ＤＣＣＨ）のタイムスロット毎に行われる。上述のＩＳ９５アップリンク電力制御方法の場合と同様に、ＢＴＳ２０からＭＳ４０へのＴＣＨ／ＤＣＣＨの各タイムスロットは、ＭＳ４０にそのアップリンク送信電力を増減させる命令のための電力制御ビットを収容する。ステップＡ３において、このような電力制御ビットが、ソフトハンドオフに関連した３局の各ＢＴＳ４０から受信される。
【００３４】
ステップＡ４において、ステップＡ３で受信された複数の電力制御ビットは、ステップＡ１で決定された現在のＢＴＳランキングに従ってランク順に並べられる。続いて、ステップＡ５において、ＰＣＭが全ての関連したＢＴＳに制御チャネルを介して送信される。
【００３５】
ステップＡ１で決定されたランキングは、いくつかの理由から周期的に更新する必要がある。第一に、ＭＳ４０が移動するのに伴って、ダウンリンク信号は新しいＢＴＳによって受信され、或いは、既存のＢＴＳは、検出可能なダウンリンク信号を送出できなくなる。第二に、ＢＴＳ２０から受信された信号の品質は、たとえば、フェージングのために変化する。したがって、ステップＡ６において、ランキングを更新する必要があるか否かが判定される。このような更新は、規則的な時間間隔で周期的（たとえば、ＧＳＭネットワークの場合のように数百ミリ秒毎）に行われ、或いは、フレーム毎に、若しくは、タイムスロット毎に行われる。或いは、ランキングは、新しいＢＴＳが検出されたとき、又は、既存のＢＴＳとの連絡が取れなくなったときに更新してもよい。更新が必要な場合に、処理はステップＡ１に戻り、さもなければ、処理は次のタイムスロットの開始のためのステップＡ３に戻る。
【００３６】
図８は、本発明を実施するＢＴＳ２０のブロック図である。ＢＴＳ２０は、特に、図７のステップＡ２においてＭＳ４０によって送信されたランキングメッセージＲＭ及びステップＡ５においてＭＳ４０によって送信された電力制御メッセージＰＣＭを受信し、処理するように適合する。
【００３７】
アンテナ素子２２は、（たとえば、図示しない送受切替器を介して）受信部２４及び送信部２６に接続される。ソフトハンドオフ制御部２８は、受信部２４からアップリンク信号ＵＳを受信し、受信したＵＳ（又は、ＵＳから取り出された信号）を、ＢＳＣ３０へ送信するため固定ネットワーク５に供給する。ソフトハンドオフ制御部２８には、選択的に記憶部２９が設けられる。
【００３８】
ＢＴＳ２０を使用する場合、ソフトハンドオフ領域９に進入しているＭＳ４０によって送信されたアップリンク信号には、時々ランキングメッセージＲＭが含まれる。ＢＴＳ２０内の受信部２４によって検出されたアップリンク信号ＵＳは、ソフトハンドオフ制御部２８に供給される。ソフトハンドオフ制御部２８が受信したいずれかのアップリンク信号ＵＳにランキングメッセージＲＭが含まれることを検出したとき、ソフトハンドオフ制御部２８は、上述のステップＡ１においてＭＳによって決定されたランキング順序内でＢＴＳ２０自体のランクを判定するため当該ランキングメッセージを処理する。
【００３９】
各タイムスロットで、受信部２４によって生成されたアップリンク信号ＵＳは、図７のステップＡ４に関して説明したようにＭＳ４０によって判定されたＢＴＳ選択メッセージＢＳＭを含む。
【００４０】
次に、受信部２４によって生成されたアップリンク信号ＵＳに存在するＢＳＭに応じたソフトハンドオフ制御部２８の動作について図９を参照して説明する。
【００４１】
図９に示されたシーケンスが開始されるときまでに、（上述のように）既にランキングメッセージＢＳＭがソフトハンドオフ制御部２８によって受信、処理されている場合を考える。
【００４２】
図９のステップＢ１において、ＰＣＭは、ソフトハンドオフ制御部で受信され、調べられる。
【００４３】
ステップＢ２において、ソフトハンドオフ制御部２８は、ＢＴＳ２０が、着目中のＭＳ４０に送信された最後の電力制御ビット（ＰＣＢ）に、ＭＳ４０はアップリンク送信電力を減少させるべきであること（ＰＣＢ＝１）を指定したかどうかを判定する。そのように指定されている場合、処理はステップＢ３へ進む。
【００４４】
ステップＢ３において、ソフトハンドオフ制御部２８は、現在のソフトハンドオフ動作に関連した他の全てのＢＴＳのそれぞれの最後のＰＣＢを含むＰＣＭを調べる。いずれかのＰＣＢが１である場合、少なくとも一つの他のＢＴＳが着目中のＭＳ４０に対しアップリンク送信電力を減少させるよう要求したことがわかる。この場合、処理はステップＢ４へ進む。
【００４５】
ステップＢ４において、ソフトハンドオフ制御部２８は、ＭＳ４０によって最後に決定されたランキングの順序で、そのＢＴＳが、着目中のＭＳ４０に対しアップリンク送信電力を減少させるよう要求した他のＢＴＳよりも上位にランク付けされているかどうかを判定する。
【００４６】
このＢＴＳが電力低減を要求した最高位ＢＴＳである場合、処理はステップＢ５へ進み、ソフトハンドオフ制御部２８は、そのＢＴＳが現在のタイムスロットで受信されたアップリンク信号ＵＳを固定ネットワーク５を介してＢＳＣ３０へ送信することが要求される。
【００４７】
ステップＢ４において、このＢＴＳよりも高いランクを有する別のＢＴＳが電力低減を要求していることがソフトハンドオフ制御部２８によって判定された場合、処理はステップＢ７へ進み、ソフトハンドオフ制御部２８は、現在のタイムスロットで移動局４０から受信したアップリンク信号ＵＳをＢＳＣ３０へ送信するよう要求されていないことを判定する。
【００４８】
ステップＢ３において、ソフトハンドオフ制御部２８が、そのＢＴＳはソフトハンドオフ動作に関連し、電力低減を要求する唯一のＢＴＳであることを判定した場合、処理はステップＢ５へ進み、現在のタイムスロットに対するアップリンク信号ＵＳは、ＢＴＳによってＢＳＣ３０へ送信される。
【００４９】
ステップＢ２において、ソフトハンドオフ制御部２８が、ＭＳ４０に対し電力低減を要求していること（すなわち、最後のＰＣＢが０であること）を判定した場合、処理はステップＢ６へ進む。ステップＢ６において、ソフトハンドオフ制御部２８は、ＰＣＭを参照することによって、他に減少を要求するＢＴＳが存在するかどうか（すなわち、他のＢＴＳによって指定された最後のＰＣＢが１であるかどうか）を判定する。このようなＢＴＳが存在する場合、ソフトハンドオフ制御部２８は、ＢＴＳが現在のタイムスロットでアップリンク信号ＵＳをＢＳＣ３０へ送信するよう要求されていないと判定し、処理がステップＢ７へ進む。これに対し、電力低減を要求する他のＢＴＳが無い場合（すなわち、現在のソフトハンドオフ動作に関連した全てのＢＴＳがＭＳアップリンク送信電力の増加を要求する場合）、処理はステップＢ５へ進み、現在のタイムスロットのアップリンク信号ＵＳがＢＴＳによってＢＳＣ３０へ送信される。
【００５０】
ステップＢ５又はＢ７の後、それぞれの場合に応じて、現在のタイムスロットに対する処理が完了し、ソフトハンドオフ制御部２８はＭＳ４０からの次のＰＣＭ若しくはＲＭを待機する。
【００５１】
図９を参照して説明したように、ＰＣＭの受信によって、ソフトハンドオフ動作に関連した各ＢＴＳ内のソフトハンドオフ制御部２８は、他の全てのＢＴＳ、並びに、そのＢＴＳ自身によって着目中のＭＳ４０に送信された最後の電力制御ビットを知ることができる。これらのＰＣＢを比較することにより、各ＢＴＳ内のソフトハンドオフ制御部は、現在タイムスロットで受信されたアップリンク信号ＵＳをＢＳＣへ転送すべきか否かを決定することができ、これにより、可能であれば、ソフトハンドオフに関連した唯一のＢＴＳがアップリンク信号ＵＳをＢＳＣへ転送する。
【００５２】
受信されたＰＣＢに基づいて、決定中の各ＢＴＳ内のソフトハンドオフ制御部２８は、種々のＢＴＳによる電力低減／増加の要求が４通りの場合分けに収まるかどうかを識別する。
【００５３】
ケース１：決定中のＢＴＳが電力増加を要求し、少なくとも一つの他のＢＴＳが電力低減を要求している場合、少なくとも一つの他のＢＴＳがＭＳ４０から非常に良好なアップリンク信号を享受し手いることがわかる。このとき、決定中のＢＴＳ以外のこの他のＢＴＳは、現在タイムスロットでアップリンク信号ＵＳをＢＳＣへ送信すべきである。決定中ＢＴＳは、アップリンク信号ＵＳを送信しないことに決める。
【００５４】
ケース２：決定中ＢＴＳが電力低減を要求し、ソフトハンドオフ動作に関連した他の全てのＢＴＳが電力の増大を要求した場合、決定中ＢＴＳは、ＭＳから最も優れた品質の信号を受信したことが判り、現在タイムスロットでＵＳをＢＳＣに送信することを決定する。
【００５５】
ケース３：決定中ＢＴＳがＭＳに電力低減を要求し、少なくとも一つの他のＢＴＳが同じく電力低減を要求する場合、アップリンク信号を転送すべきＢＴＳがランクに基づいて決定される。たとえば、電力低減を要求する最高ランクのＢＴＳは、現在のタイムスロットでＵＳをＢＳＣへ転送すべきことを判定する。そのため、ケース３は、サブケース３ａ及び３ｂに細分される。ケース３ａでは、決定中ＢＴＳは、最高ランクのＢＴＳが電力低減を要求することを判定し、そのＢＴＳ自体はＵＳを送信すべきではないことを決定する。これに対し、ケース３ｂでは、決定中ＢＴＳは、そのＢＴＳ自体が電力低減を要求する最高ランクのＢＴＳであり、ＵＳをＢＳＣ３０へ転送することを決定する。
【００５６】
ケース４：ソフトハンドオフ動作に関連した全てのＢＴＳがＭＳに送信電力の増大を要求する場合、全てのＢＴＳは、図２を参照して説明した従来のソフトハンドオフ動作と同様に、現在のタイムスロットでそれぞれのアップリンク信号ＵＳをＢＳＣへ転送する。これにより、ＢＳＣ３０で種々のアップリンク信号の最大比合成（ＭＲＣ）処理が行われる。
【００５７】
上述の通り、ＢＳＣではなく、ＢＴＳで決定を行う能力は、ソフトハンドオフ動作におけるアップリンク処理のための固定ネットワークバックホールを容易に著しく削減することができる。
【００５８】
図１０には、アップリンク処理中にソフトハンドオフ制御部２８が行う動作を説明するための決定テーブルの一例が示されている。本例の場合、ソフトハンドオフ動作に関連したＢＴＳは、ＢＴＳ３がランク▲１▼（最高ランク）、ＢＴＳ１がランク▲２▼、ＢＴＳ２がランク▲３▼（最低ランク）であると仮定される。
【００５９】
図１０に示されるように、ＭＳ４０は、種々のＢＴＳに対する電力制御ビットＰＣＢをＢＴＳのランク順で電力制御メッセージＰＣＭに配列する。かくして、ＰＣＭの第１ビットは、ランク▲１▼ＢＴＳ（本例ではＢＴＳ３）に対応し、ＰＣＭの第２ビットはランク▲２▼ＢＴＳ（本例ではＢＴＳ１）に対応し、ＰＣＭの第３ビットはランク▲３▼ＢＴＳ（本例ではＢＴＳ２）に対応する。
【００６０】
また、本例の場合、決定中ＢＴＳは、中間ランクＢＴＳのＢＴＳ１である。
【００６１】
上述のケース１の場合、ＰＣＭ＝００１は、ＢＴＳ２だけが電力低減を要求していることを示す。かくして、ＢＴＳ２は、現在のタイムスロットの間にアップリンク信号を送信すべきであり、ＢＴＳ１はアップリンク信号を送信すべきではないと判定する。
【００６２】
ケース２の場合、ＰＣＭ＝０１０は、決定中ＢＴＳ１だけが電力低減を要求していることを示す。したがって、ＢＴＳ１は、アップリンク信号ＵＳをＢＳＣへ送信すべきであると決定する。
【００６３】
ケース３ａの場合、ＢＴＳ３とＢＴＳ１の両方が電力低減を要求し、ＢＴＳ２は電力増加を要求する。この場合、決定中ＢＴＳ１は、ＭＳによって決定されたランキングの順序内でＢＴＳ１自体のランクを参照し、（最高ランクＢＴＳ３に対応した）第１のＰＣＭビットが１であるため、決定中ＢＴＳ１はＵＳをＢＳＣへ送信すべきではないと確定する。
【００６４】
ケース３ｂの場合、これに対し、ＰＣＭ＝０１１は、ＢＴＳ１とＢＴＳ２の両方が電力低減を要求していることを示す。このような状況では、決定中ＢＴＳ１は、ＢＴＳ１よりも上位ランクのＢＴＳの中に電力低減を要求するＢＴＳは存在しないと判定し（先頭のＰＣＭビットは０）、ＵＳをＢＳＣへ転送することを決める。
【００６５】
最後に、ケース４の場合、ＰＣＭ＝０００は、全てのＢＴＳが電力増大を要求することを示す。本例の場合、決定中ＢＴＳ１は、ＵＳをＢＳＣへ送信すべきであると決定する。
【００６６】
ソフトハンドオフ動作に関連したＢＴＳによって行われた決定処理の結果として、１局のＢＳＣだけが上述のケース１、２、３ａ及び３ｂにおいて、現在タイムスロットでＵＳをＢＳＣへ送信することは、不可欠ではないことが認められる。たとえば、少なくとも一つのＢＴＳが上記のケース１、２、３ａ又は３ｂの中のいずれかのケースでＵＳを送信しないと決定する限り、アップリンク処理に対し固定サイズネットワークのバックホールを軽減できる利点が得られる。
【００６７】
また、たとえば、ＢＴＳ側でのアップリンク信号受信中の一時的な現象に基づくＢＴＳにおける決定の誤りを回避するため、ＢＴＳがＭＳへ送信された電力制御ビットの履歴に基づいてアップリンク信号の送信を決定することが望ましい。たとえば、各ハンドオフ制御部２８に設けられた記憶部２９は、ＢＴＳによって受信された一つ以上の先行のＰＣＭを蓄積するため使用される。記憶部２９に蓄積されるようなこのＰＣＭ履歴を使用することにより、各ＢＴＳは、アップリンク信号をＢＳＣへ送信するか否かについて、より多くの情報に基づく決定を下すことができる。
【００６８】
たとえば、ＰＣＭの履歴によって、各ＢＴＳが交互に１と０をＭＳへ送信することが判明した（一般的に、ＭＳと、ソフトハンドオフ動作に関連した各ＢＴＳとの間の信号条件が事実上静的であることを示す）場合、送信中のＢＴＳが１と０を交互に送る結果として、連続的に巡回させることは無駄である。この巡回（スワップ・アラウンド）は、ソフトハンドオフ制御動作と関連したＢＴＳ毎に、たとえば、ソフトハンドオフ制御部２８に、「ドントケア」受信状況（たとえば、１と０が交互に出現するストリーム）を識別する能力を与えることによって除くことができる。このような「ドントケア」状況において、ソフトハンドオフ制御部２８は、アップリンク信号をこの時間帯にＢＳＣへ送信するか否かについて最後に成した決定を適用することを簡単に決定することができるので、巡回現象を除去することができる。たとえば、所与のＢＴＳに対し受信されたＰＣＢのシーケンスに移動平均を適用することによって、他の「ドントケア」状況を識別することが可能である。
【００６９】
同様に、移動平均は、受信条件が図１０に示されたケース１からケース４までのいずれかのケースに収まるかどうかについての決定を行うためにも使用される。この場合、現在ＰＣＭのＰＣＢだけを表現する図１０における”１”又は”０”の代わりに、”１”又は”０”は、たとえば、過去の４ＰＣＭに亘る当該ＢＴＳに関する（１に切り上げられ、或いは、０へ切り捨てられた）移動平均を表現する。
【００７０】
また、アップリンク処理は、必ずしもタイムスロット単位で実行しなくても構わないことが認められる。ＰＣＭは、１フレーム当たりに１回だけ送信してもよく、その場合、各ＢＴＳによる決定処理は、フレーム単位で行われる。
【００７１】
さらに、決定処理は、フレーム若しくはタイムスロット以外の時間間隔で行ってもよく、たとえば、ネットワーク内のＲＦチャネルのフェージング特性と整合した時間間隔に基づいて行ってもよい。
【００７２】
上記の実施例の場合、ソフトハンドオフ動作に関連した２局以上のＢＴＳが比較的優れたアップリンクチャネル特性をもつとき、アップリンク信号をＢＳＣへ送信するため使用されるＢＴＳは、移動局だけによって決定されたＢＴＳランキングに基づいて選択される。しかし、ＢＴＳのランク付けをＭＳだけで行うことは必須要件ではなく、ランク付け（又は、ランク付けの一部）を他の規準に基づいてネットワーク内の他の場所（たとえば、ＢＳＣ内）で行ってもよい。
【００７３】
たとえば、好ましい一実施例において、ＢＴＳは、既に説明した通り、移動局によって決定された第１のランキングに従ってランク付けされる。この第１のランキングは、移動局とＢＴＳの間のエアー・インタフェースに基づくランキングと呼ばれる。ＢＴＳは、ＢＳＣによって決定される第２のランキングに従ってランク付けしてもよい。この第２のランキングは、いわゆる「バックホール優先」に基づいて、すなわち、ＢＴＳが受信アップリンク信号をＢＳＣへ転送（バックホール）すべき優先順位に基づいて行われる。バックホール優先に影響を与える因子には、種々のＢＴＳをＢＳＣに連結する固定ネットワーク通信路の輻輳及び利用可能性と、固定ネットワーク通信路の品質と、固定ネットワーク通信路を使用するコストとが含まれる。特に、ＢＴＳとＢＳＣの間に通信路を設けるため利用される固定ネットワークは、輻輳の影響を受けるので、利用可能性の問題が生ずる。また、マイクロ波リンクのような一部の通信路は、光ファイバ路のような他のタイプの通信路よりも品質がかなり劣る。固定ネットワーク運用者は、異なる通信路の使用に対し異なる料金、たとえば、帯域幅毎に異なる料金、並びに、使用回数毎に異なる料率を課すため、コストを考慮する必要がある。
【００７４】
したがって、バックホール優先に従って（並びに、エアー・インタフェース優先に従って）ＢＴＳをランク付けすることにより、適当なケースに応じて、第２のランキングによって決定されたバックホール優先と、第１のランキングによって決定されたエアー・インタフェース優先との組み合わせを利用することも可能である。
【００７５】
図１１は、上記の例で使用されるＢＴＳ１２０の構成を示す図である。図１１において、ＢＴＳ１２０は、図８のＢＴＳ２０と基本的に同様に構成されているが、移動局からの第１のランキングメッセージＲＭと、固定ネットワークコネクションパス５を介してＢＳＣからの第２のランキングメッセージとを受信する変形されたソフトハンドオフ制御部１２８を具備する。
【００７６】
このため、本実施例のＢＳＣは、上記の一つ以上の因子に基づいてバックホール優先度を決定し、決定されたバックホール優先度を指定する第２のランキングメッセージを、ソフトハンドオフ動作に関連したＢＴＳへ送信する通信路ランキング部（図示されない）を更に有する。
【００７７】
ソフトハンドオフ制御部１２８は、そのＢＴＳ１２０が移動局から受信されたアップリンク信号をＢＳＣへ転送すべきであるかどうかを決めるときに、スーパー決定マトリックスを利用する。
【００７８】
図１２には、このスーパー決定マトリックスの一適用例が示されている。
【００７９】
本例の場合、４局のＢＴＳがソフトハンドオフ動作に関連しているとする。移動局によってソフトハンドオフ制御部１２８に与えられた第１のランキングメッセージＲＭ１に従って、４局のＢＴＳは、ＢＴＳ１はランク▲１▼、ＢＴＳ２はランク▲３▼、ＢＴＳ３はランク▲２▼、ＢＴＳ４はランク▲４▼のようにランク付けされる。ＢＳＣによってソフトハンドオフ制御部１２８へ与えられた第２のランキングメッセージＲＭ２によれば、ＢＴＳは、ＢＴＳ１がランク▲４▼、ＢＴＳ２がランク▲２▼、ＢＴＳ３がランク▲３▼、ＢＴＳ４がランク▲１▼となるように別のランク付けがなされる。
【００８０】
本例の場合、（移動局から受信された電力制御メッセージＰＣＭに配置された）電力制御ビットは、ＢＴＳ１からＢＴＳ４の順番に０，１，１，０である。これは、ＢＴＳ２及びＢＴＳ３が共に比較的良好な通信チャネル特性を利用することを示す。図１０のケース３ａ及びケース３ｂに対応した本例の場合、二つのＢＴＳ候補のＢＴＳ２とＢＴＳ３の中で、次のタイムスロットでＢＳＣへ受信されたアップリンク信号を送信するＢＴＳはどちらであるかに関する決定は、（第１のランキングメッセージＲＭ１によって与えられるエアー・インタフェースランキングと、第２のランキングメッセージＲＭ２によって与えられるバックホールランキングとの）二つのランキングの組み合わせに基づいて行われる。
【００８１】
着目中の各ＢＴＳ（ＢＴＳ２及びＢＴＳ３）において、ソフトハンドオフ制御部１２８は、たとえ、エアー・インタフェースランキングによると、ＢＴＳ２がＢＴＳ３よりも劣位であるとしても、ＢＴＳ３ではなくＢＴＳ２がアップリンク信号をＢＳＣへ送信すべきであることを示すバックホールランキング優先に従うべきか否かを判定する。このような判定が可能である理由は、本例の場合に、二つのＢＴＳ候補のＢＴＳ２とＢＴＳ３の間のエアー・インタフェースランキングの差が１であり、ＢＴＳ２はＢＴＳ３よりも優先度が僅かに劣るに過ぎないからである。もし、二つのＢＴＳ候補の間のエアー・インタフェースランキングの差が、たとえば、ＢＴＳ１とＢＴＳ４の差のように非常に大きい場合には、バックホールランキングを優先することは望ましくない。
【００８２】
したがって、既に説明したように、ソフトハンドオフ動作に関連した種々のＢＴＳのソフトハンドオフ制御部における決定処理は、（エアー・インタフェースランキングとバックホールランキングの）二つのランキングの一方だけに基づいて行われても、両方のタイプのランキングの組み合わせに基づいて行われてもよい。特に、移動局によって適用されるランキング（エアー・インタフェースランキング）が全くランダムであるか、又は、ソフトハンドオフ動作に関連したＢＴＳの順序に基づく場合には、エアー・インタフェースランキングは、バックホールランキングによって完全に書き換えられる方が好適であることがわかる。
【００８３】
次に、図５のネットワークのソフトハンドオフ動作におけるダウンリンク処理について説明する。このようなダウンリンク処理において、マクロ・ダイバーシチベースの最大比合成（ＭＲＣ）がソフトハンドオフ動作中にＭＳで要求される場合、ソフトハンドオフ動作に関連した全てのＢＴＳは、同じ情報をＭＳに送信する必要あり、固定ネットワークバックホールの低減は達成できない。しかし、ソフトハンドオフ領域でＭＲＣが必要とされない場合、ダウンリンクマクロ・ダイバーシチは、本発明のほかの局面にしたがって、ＢＳＣ３０での選択（若しくは、切換え）ダイバーシチに基づいて実現される。
【００８４】
図６を参照するに、ダウンリンク処理を扱うため，信号選択情報処理部４８は、上述のランキングメッセージＲＭ及び電力制御メッセージＰＣＭの発生の他に更なる機能を実行することが要求される。本例の場合、上述のランキング処理において，信号選択情報処理部４８は、ソフトハンドオフ動作に関連したＢＴＳ（ＢＴＳ１〜ＢＴＳ３）から受信したそれぞれのダウンリンク信号ＤＳ１〜ＤＳ３を処理し、所定の特性（アップリンク処理の場合と同じ特性でもよく、或いは、必要に応じて別の特性でも構わない）にしたがって、これらのダウンリンク信号を比較する。好ましい一実施例において、所定の特性は、受信信号強度（ＲＳＳ）であり、場合によっては、信号対干渉比（ＳＩＲ）と組み合わされる。これらの特性測定値はダウンリンクＤＣＣＨについて判定される。
【００８５】
信号選択情報処理部４８は、ソフトハンドオフ動作に関連したＢＴＳの中で、次のタイムスロットでダウンリンク信号をＭＳへ送信すべきＢＴＳを選択するため，この特性測定値を利用する。
【００８６】
信号選択情報処理部４８は、次のタイムスロットでダウンリンク信号を送信すべきＢＴＳを、以下のケースに基づいて選択してもよい。
【００８７】
ケース１：単独のＢＴＳのＲＳＳ（及び／又はＳＩＲ）が他のＢＴＳよりも高い場合、この単独のＢＴＳは次のタイムスロットでダウンリンク信号を送信するよう選択される。
【００８８】
ケース２：二つ以上のＢＴＳのＲＳＳ（及び／又はＳＩＲ）がかなり良好である場合、いずれか一つのＢＴＳがランキングの順序（たとえば、ソフトハンドオフ動作に関連した順番、或いは、ランダム）に基づいて選択される。
【００８９】
ケース３：ソフトハンドオフ動作に関連した全てのＢＴＳが所定のＲＳＳ（及び／又はＳＩＲ）閾値を充たさない場合、全てのＢＴＳが次のタイムスロットでダウンリンク信号を送信すべく選択され、その結果として、有効な信号を獲得する最良の機会を得るため、ＭＲＣ動作がＭＳ４０で行われる。
【００９０】
使用されるべきＢＴＳが決定された後、信号選択情報処理部４８は、使用されるべきＢＴＳを識別するＢＴＳ選択メッセージ（ＢＳＭ）を制御チャネル上の全てのＢＴＳへ送信する。
【００９１】
たとえば、ＢＳＭを与えるため２ビットを使用する場合、ＢＳＭは、ＢＴＳ１を指定するため”０１”に設定され、ＢＴＳ２を指定するため”１０”に設定され、ＢＴＳ３を指定するため”１１”に設定される。”００”は、全てのＢＴＳが次のタイムスロットにダウンリンク信号を送信するため使用されるべき旨を示す。
【００９２】
各ＢＴＳは、ＭＳ１０から制御チャネルを介してＢＳＭを受信する。一つ以上のＢＴＳは、ＢＳＭをＢＳＣ３０へ転送する。図８乃至１０を参照して既に説明したように、アップリンク処理について説明した決定方法を適用することによって、１局のＢＴＳだけがＢＳＭを含むアップリンク信号をＢＳＣへ送信することを決定する。しかし、ＢＳＭをＢＳＣへ転送するＢＴＳの数は、本発明のこの局面とは無関係であり、全てのＢＴＳがＢＳＭをＢＳＣへ送信することができる。
【００９３】
図１３は、ソフトハンドオフ動作におけるダウンリンク処理を実行するよう適合したＢＳＣの構成図である。ＢＳＣ３０は、制御部３２及びセレクタ部３４を含む。
【００９４】
本例の場合、各ＢＴＳをＢＳＣ３０へ連結するコネクションライン５１乃至５３は、着目中のＢＴＳとＢＳＣとの間でアップリンク信号ＵＳ及びダウンリンク信号ＤＳを伝搬する二重通信ラインである。たとえば、第１のコネクションライン５１は、ＢＴＳ１とＢＳＣ３０との間のアップリンク信号ＵＳ１及びダウンリンク信号ＤＳ１を伝搬する。
【００９５】
セレクタ部３４は、ＭＳＣ（図５では、ＭＳＣ７）によって供給されたダウンリンク信号ＤＳ１をその入力で受ける。セレクタ部３４は、選択信号ＳＥＬを受信する制御入力を有する。選択信号ＳＥＬに応答して、セレクタ部３４は、その入力を、３出力の中の一つ、或いは、全部へ接続する。
【００９６】
制御部３２は、コネクションライン５１乃至５３にそれぞれ接続された３入力を有し、ＢＴＳ１乃至ＢＴＳ３からそれぞれのアップリンク信号ＵＳ１乃至ＵＳ３を受信する。制御部は、選択信号ＳＥＬをセレクタ部３４へ供給する。
【００９７】
図１３に示されたＢＳＣの動作において、アップリンク信号のタイムスロット毎に、制御部３２は、ソフトハンドオフ動作に関連したＢＴＳから三つのアップリンク信号ＵＳ１乃至ＵＳ３の中の一つ以上のアップリンク信号を受信する。ＭＳ４０によって与えられたＢＳＭが受信アップリンク信号ＵＳ１、ＵＳ２又はＵＳ３に含まれることが検出されたとき。制御部３２はＢＳＭを検査し、次のタイムスロットでダウンリンク信号をＭＳ４０へ送信すべきＢＴＳを決定する。
【００９８】
ＢＳＭが単独のＢＴＳを指定する場合、制御部３２は、セレクタ部３４がダウンリンク信号ＤＳを、コネクションライン５１乃至５３の中でＢＳＣ３０を指定されたＢＴＳへ接続する１本のラインだけに供給するように、選択信号ＳＥＬを設定する。これに対し、全てのＢＴＳがＢＳＭによって指定された場合、選択信号ＳＥＬは、ＭＳＣ７から受信された選択信号ＳＥＬが全てのコネクションライン５１乃至５３へ供給されるように設定される。
【００９９】
ダウンリンク処理は、必ずしもタイムスロット単位で行わなくてもよい。ダウンリンク処理は、フレーム単位で実行しても良く，或いは、ＢＴＳ選択はその他の適当な時間間隔で行うことができる。
【０１００】
また、信号選択情報処理部４８（図６）は、一つ以上の記憶部（図８における記憶部２９と類似した記憶部）を具備し、現在ソフトハンドオフ動作に関連した種々のＢＴＳについてのＲＳＳ（及び／又はＳＩＲ）測定値の過去の履歴を記憶部に蓄積させることが可能である。この場合、アップリンク処理に関して既に説明した通り、ＭＳは、一時的な受信現象によって生じる望ましくない影響を回避するため、或いは、非常に頻繁に変化するＢＴＳ選択によって生ずるその他の問題を回避するため、ＢＴＳ選択に関してより洗練された決定処理を採用することが可能である。
【０１０１】
移動局は、種々のダウンリンク信号に関する信号測定値の比較、並びに、ダウンリンク信号を送信するため使用されるべきＢＴＳの決定を行わなくてもよい。この比較と、ＢＴＳ決定は、ＢＳＣでも実行できる。その場合、ＢＳＭをソフトハンドオフ動作に関連したＢＴＳへ送信する代わりに、移動局は、ダウンリンク信号測定値ｊ自体を（何らかの適当な形式で）送信することができる。これらの測定値は、通常の方式でＢＳＣへ配布され、ＢＳＣがこれらの測定値を比較し、ＢＴＳ決定を行える。
【０１０２】
以上の記述において、本発明は、提案された欧州広帯域ＣＤＭＡシステム（ＵＴＲＡ）に関連して説明がなされているが、本発明は、ＩＳ９５標準に準拠したそれ以外のシステムにも適用することができる。また、本発明は、ＣＤＭＡを使用しないセルラーネットワーク、たとえば、時分割多元接続（ＴＤＭＡ）、波長分割多元接続（ＷＤＭＡ）、周波数分割多元接続（ＦＤＭＡ）、及び、空間分割多元接続（ＳＤＭＡ）のような多元アクセス方式、並びに、これらの多元アクセス方式の任意の組み合わせを使用するネットワークにも適用され得る。
【０１０３】
以上の説明に関して更に以下のような態様が考えられる。
【０１０４】
（付記１）　移動局が、無線チャネルを介して、複数の基地局からの下り信号の受信及び複数の基地局への上り信号の送信を行うセルラー移動通信網において、
前記移動局に前記複数の基地局から下り信号の信号品質の測定を行うとともに、所望の信号品質を示す下り信号の基地局を選択する選択手段と、
複数の基地局のうち、移動局との、その後の通信のために選択された基地局を示す上り信号を送信する送信手段と、
複数の基地局の中から選択された基地局を示す上り信号を処理する処理手段と、
を有することを特徴とするセルラー移動通信網。
【０１０５】
（付記２）　前記移動局が前記選択手段及び前記送信手段を有することを特徴とする付記１記載のセルラー移動通信網。
【０１０６】
（付記３）　前記送信手段が、選択された基地局の識別情報を上り信号中に含めることが可能である付記１記載のセルラー移動通信網。
【０１０７】
（付記４）　前記各基地局が前記処理手段を有することを特徴とする付記１記載のセルラー移動通信網。
【０１０８】
（付記５）　前記移動局が前記選択手段及び前記送信手段を有することを特徴とする付記４記載のセルラー移動通信網。
【０１０９】
（付記６）　前記複数の基地局から移動局への下り信号の信号品質は、受信下り信号の信号強度で表されることを特徴とする付記１記載のセルラー移動通信網。
【０１１０】
（付記７）　無線チャネルを介して、移動局への下り信号の各々の送信及び移動局からの上り信号の受信が可能な複数の基地局と、
前記複数の基地局に接続され、前記基地局によって更に送信される下り信号を前記各基地局に渡す基地局コントローラと、
を有し、
前記各基地局は、所望の信号品質の下り信号に対応した選択された基地局を示す上り信号を移動局から受信し、複数の基地局のうち選択された基地局を識別する処理ユニットを含むことを特徴とするセルラー移動通信網。
【０１１１】
（付記８）　複数の基地局から移動局への下り信号の信号品質は受信された下り信号の信号強度で表されることを特徴とする付記７記載のセルラー移動通信網。
【０１１２】
（付記９）　無線チャネルを介して移動局へ下り信号の送信及び移動局からの上り信号の受信が可能な複数の基地局を有し、
各基地局は、所望の信号品質を示す下り信号に対応した基地局を示す上り信号を移動局から受信することで、複数の基地局の中から、移動局との、その後の通信のために選択された基地局を識別する処理ユニットを含むことを特徴とするセルラー移動通信網。
【０１１３】
（付記１０）　前記複数の基地局に接続され、前記基地局によって更に送信される下り信号を前記各基地局に渡す基地局コントローラを更に有することを特徴とする付記９記載のセルラー移動通信網。
【０１１４】
（付記１１）　複数の基地局から移動局への下り信号の信号品質は受信された下り信号の信号強度で表されることを特徴とする付記９記載のセルラー移動通信網。
【０１１５】
（付記１２）　無線チャネルを介して、複数の基地局の各々からの下り信号の受信及び前記複数の基地局への上り信号の送信が可能な移動局であって、
前記複数の基地局からの下り信号の信号品質を測定するとともに、所望の信号品質を示す下り信号に対応した基地局を選択する選択処理手段と、
複数の基地局のうち、移動局との、その後の通信のために選択された基地局を示す上り信号を送信する送信手段と、
を有することを特徴とする移動局。
【０１１６】
（付記１３）　前記送信手段は、前記複数の基地局のうち選択された基地局の識別情報を含む上り信号を送信することを特徴とする付記１２記載の移動局。
【０１１７】
（付記１４）　複数の基地局から移動局への下り信号の信号品質は受信された下り信号の信号強度で表されることを特徴とする付記１２記載の移動局。
【０１１８】
（付記１５）　無線チャネルを介して、複数の基地局の各々からの下り信号の受信及び前記複数の基地局への上り信号の送信が可能な移動局であって、
前記複数の基地局からの下り信号の信号品質を測定するとともに、所望の信号品質を示す下り信号に対応した基地局を選択する選択処理ユニットと、
複数の基地局のうち、移動局との、その後の通信のために選択された基地局を示す上り信号を送信する送信ユニットと、
を有することを特徴とする移動局。
【０１１９】
（付記１６）　前記送信ユニットは、前記複数の基地局のうち選択された基地局の識別情報を含む上り信号を送信することを特徴とする付記１５記載の移動局。
【０１２０】
（付記１７）　複数の基地局から移動局への下り信号の信号品質は受信された下り信号の信号強度で表されることを特徴とする付記１５記載の移動局。
【０１２１】
（付記１８）　無線チャネルを介して、複数の基地局の各々からの下り信号の受信及び前記複数の基地局への上り信号の送信が可能な移動局であって、
前記複数の基地局からの下り信号の信号品質を測定するとともに、所望の信号品質を示す下り信号の基地局を選択するプロセッサと、
複数の基地局のうち、移動局との、その後の通信のために選択された基地局を示す上り信号を送信する送信機と、
を有することを特徴とする移動局。
【０１２２】
（付記１９）　複数の基地局から移動局への下り信号の信号品質は受信された下り信号の信号強度で表されることを特徴とする付記１８記載の移動局。
【０１２３】
（付記２０）　無線チャネルを介して、複数の基地局の各々からの下り信号の受信及び前記複数の基地局への上り信号の送信が可能な移動局であって、
前記複数の基地局からの下り信号の信号品質を測定するとともに、一番良い信号品質を示す下り信号の基地局を選択するプロセッサと、
複数の基地局のうち、移動局との、その後の通信のために選択された基地局を示す上り信号を送信する送信機と、
を有することを特徴とする移動局。
【０１２４】
（付記２１）　複数の基地局から移動局への下り信号の信号品質は受信された下り信号の信号強度で表されることを特徴とする付記２０記載の移動局。
【０１２５】
（付記２２）　無線チャネルを介して、複数の基地局の各々からの下り信号の受信及び前記複数の基地局への上り信号の送信が可能な移動局であって、
前記複数の基地局から受信する下り信号の信号強度を測定するとともに、受信した下り信号が一番高い信号強度を示す基地局を選択するプロセッサと、
複数の基地局のうち、移動局との、その後の通信のために選択された基地局の識別情報を含む上り信号を送信する送信機と、
を有することを特徴とする移動局。
【０１２６】
（付記２３）　一つまたはそれ以上の基地局と共に、移動局との無線チャネルを持続する基地局であって、
移動局が他の基地局からの下り信号の受信が可能となるのと同様に、移動局に下り信号を送信する送信機と、
移動局からの上り信号を受信する受信機と、
移動局で所望の信号品質を示す下り信号に対応し該移動局との、その後の通信のために選択された基地局を示す上り信号を該移動局から受信したときに、該受信している基地局が選択された基地局か否かを識別するコントローラと、
を有することを特徴とする基地局。
【０１２７】
（付記２４）　前記上り信号は選択された基地局の識別情報を含むことを特徴とする付記２３記載の基地局。
【０１２８】
（付記２５）　前記信号品質は下り信号の信号強度によって表されることを特徴とする付記２３記載の基地局。
【０１２９】
（付記２６）　無線チャネルを介して、複数の基地局の各々からの下り信号の受信及び前記複数の基地局への上り信号の送信が可能な電子装置であって、
前記複数の基地局からの下り信号の信号品質を測定するとともに、所望の信号品質を示す下り信号の基地局を選択する選択処理手段と、
複数の基地局のうち、移動局との、その後の通信のために選択された基地局を示す上り信号を送信する送信機手段、
を有することを特徴とする電子装置。
【０１３０】
（付記２７）　複数の基地局の中から選択された基地局の識別情報を上り信号中に含めるセル識別手段を更に有することを特徴とする付記２６記載の電子装置。
【０１３１】
（付記２８）　前記信号品質は下り信号の信号強度によって表されることを特徴とする付記２６記載の電子装置。
【０１３２】
（付記２９）　無線チャネルを介して、複数の基地局の各々からの下り信号の受信及び前記複数の基地局への上り信号の送信が可能な移動局で使用される制御回路であって、
前記複数の基地局からの下り信号の信号品質を測定するとともに、所望の信号品質を示す下り信号の基地局を選択する選択処理手段と、
複数の基地局のうち、移動局との、その後の通信のために選択された基地局を示すデータを上り信号に組み入れて出力する出力手段と、
を有することを特徴とする制御回路。
【０１３３】
（付記３０）　前記上り信号は、複数の基地局から選択された基地局の識別情報を含むことを特徴とする付記２９記載の制御回路。
【０１３４】
（付記３１）　前記複数の基地局からの下り信号の信号品質は、受信された下り信号の信号強度によって表されることを特徴とする付記３０記載の制御回路。
【０１３５】
（付記３２）　無線チャネルを介して、複数の基地局の各々からの下り信号の受信及び前記複数の基地局への上り信号の送信が可能な移動局で使用される信号処理回路であって、
前記複数の基地局からの下り信号の信号品質を測定し、所望の信号品質を示す下り信号の基地局を選択するとともに、複数の基地局のうち、移動局との、その後の通信のために選択された基地局を示す上り信号の送信を制御するプロセッサを有することを特徴とする信号処理回路。
【０１３６】
（付記３３）　前記複数の基地局からの下り信号の信号品質は、受信された下り信号の信号強度によって表されることを特徴とする付記３２記載の信号処理回路。
【０１３７】
（付記３４）　無線チャネルを介して、複数の基地局の各々からの下り信号の受信及び前記複数の基地局への上り信号の送信が可能な移動局であって、
前記複数の基地局からの下り信号の信号品質を測定し、所望の信号品質を示す下り信号の基地局を選択するとともに、複数の基地局のうち、移動局との、その後の通信のために選択された基地局を示す上り信号の送信を制御するプロセッサを有することを特徴とする移動局。
【０１３８】
（付記３５）　前記複数の基地局からの下り信号の信号品質は、受信された下り信号の信号強度によって表されることを特徴とする付記３３記載の移動局。
【０１３９】
（付記３６）　無線チャネルを介して、複数の基地局の各々からの下り信号の受信及び前記複数の基地局への上り信号の送信が可能な移動局であって、
前記複数の基地局からの下り信号の信号強度を測定し、一番高い信号強度を示す下り信号の基地局を選択するとともに、複数の基地局のうち、移動局との、その後の通信のために選択された基地局を示す上り信号の送信を制御するプロセッサを有することを特徴とする移動局。
【０１４０】
（付記３７）　一つまたはそれ以上の基地局と共に、移動局との無線チャネルを持続する基地局で使用される電子装置であって、
移動局が他の基地局からの下り信号の受信が可能となるのと同様に、移動局に下り信号を送信する送信手段と、
移動局からの上り信号を受信する受信手段と、
移動局から所望の信号品質を示す下り信号の、前記移動局との、その後の通信のために選択された基地局を示す移動局からの上り信号の受信に基づき、該受信している基地局が選択された基地局か否かを識別する制御手段と、
有することを特徴とする電子装置。
【０１４１】
（付記３８）　前記複数の基地局からの下り信号の信号品質は、受信された下り信号の信号強度によって表されることを特徴とする付記３７記載の電子装置。
【０１４２】
（付記３９）　一つまたはそれ以上の基地局と共に、移動局との無線チャネルを持続する基地局で使用される電子装置であって、
移動局が他の基地局からの下り信号の受信が可能となるのと同様に、移動局に下り信号を送信する送信手段と、
該基地局が、移動局において受信された下り信号の信号品質の測定に基づいて選択された基地局であるか否かを示す移動局からの上り信号を受信する受信手段と、
有することを特徴とする電子装置。
【０１４３】
（付記４０）　前記複数の基地局からの下り信号の信号品質は、受信された下り信号の信号強度によって表されることを特徴とする付記３９記載の電子装置。
【０１４４】
（付記４１）　移動局が他の基地局からの下り信号の受信が可能なのと同様に、無線チャネルを介して移動局への下り信号の送信及び移動局からの上り信号の受信が可能な基地局で使用される制御回路であって、
移動局で受信された時に所望の信号品質を示す下り信号に対応し、前記移動局との、その後の通信のために選択された基地局を示す移動局からの上り信号の受信に基づき、該受信している基地局が選択された基地局であるか否かを識別するコントローラを有することを特徴とする制御回路。
【０１４５】
（付記４２）　前記上り信号は選択された基地局の識別情報を含むこと特徴とする付記４１記載の制御回路。
【０１４６】
（付記４３）　前記信号品質は下り信号の信号強度で表されることを特徴とする付記４１記載の制御回路。
【０１４７】
（付記４４）　セルラー移動通信網のための方法であって、
無線チャネルを介して複数の基地局の各々から下り信号を受信し、
前記複数の基地局から受信した下り信号の信号品質を測定し、
測定された信号品質に応じ、移動局との、その後の通信のために基地局を選択し、
無線チャネルを介して複数の基地局に、複数の基地局のうち選択された基地局を示す上り信号を送信する、
ことを特徴とするセルラー移動通信網のための方法。
【０１４８】
（付記４５）　複数の基地局に送信する前記上り信号中に、前記選択された基地局の識別情報を含めることを特徴とする付記４４記載の方法。
【０１４９】
（付記４６）　移動局への複数の基地局からの下り信号の信号品質は受信した下り信号の信号強度で表されることを特徴とする付記４４記載の方法。
【０１５０】
（付記４７）　移動局が無線チャネルを介して、複数の基地局の各々から下り信号の受信及び複数の基地局への上り信号の送信が可能なセルラー移動通信網のための方法であって、
所望の信号品質を示す下り信号に対応した選択された基地局を示す上り信号を移動局から受信し、
複数の基地局のうち、移動局との、その後の通信のために選択された基地局を識別する、
ことを特徴とするセルラー移動通信網のための方法。
【０１５１】
（付記４８）　無線チャネルを介して、複数の基地局の各々からの下り信号の受信及び複数の基地局への上り信号の送信が可能な移動局であって、複数の基地局からの下り信号の信号品質を測定するとともに、下り信号の信号品質の測定に基づいて、移動局との、その後の通信のために選択された基地局を示す上り信号を送信する移動局と、
該移動局から上り信号を受信するとともに、複数の基地局の各々が選択された基地局であるか否かを識別する各々の複数の基地局と、
を有することを特徴とするセルラー移動通信網。
【０１５２】
（付記４９）　前記移動局は複数の基地局に選択された基地局の識別情報を含む上り信号を送信することを特徴とする付記４８記載のセルラー移動通信網。
【０１５３】
（付記５０）　移動局への複数の基地局からの下り信号の信号信品質は、受信された下り信号の信号強度で表されることを特徴とする付記４８記載のセルラー移動通信網。
【０１５４】
（付記５１）　複数の基地局と、該複数の基地局の各々からの下り信号の受信及び前記複数の基地局への上り信号の送信が可能な移動局を有するセルラー移動通信網であって、
前記移動局で受信される下り信号の各々の所定の信号特性を監視するとともに、前記下り信号の所定の信号特性を比較し、所望の基地局を選択するプロセッサを有し、
該プロセッサは、
選択された所望の基地局を識別する基地局選択メッセージを発生するメッセージ発生器と、
上り信号中に前記基地局選択メッセージ送信する送信機と、
移動局とソフトハンドオフモード中である各々の基地局に識別情報を供給するコントローラと、
を有する、
ことを特徴とするセルラー移動通信網。
【０１５５】
（付記５２）　前記移動局が前記プロセッサを含むことを特徴とする付記５１記載のセルラー移動通信網。
【０１５６】
（付記５３）　前記送信機は上り信号中に各々の基地局の識別情報を送信することを特徴とする付記５１記載のセルラー移動通信網。
【０１５７】
（付記５４）　前記基地局選択メッセージが各々の基地局の識別情報によって選択された所望の基地局を識別することを特徴とする付記５１記載のセルラー移動通信網。
【０１５８】
（付記５５）　前記基地局選択メッセージを受信するとともに、選択メッセージと各々の基地局の前記識別情報を比較するソフトハンドオフコントローラを更に有することを特徴とする付記５４記載のセルラー移動通信網。
【０１５９】
（付記５６）　複数の基地局から前記移動局への下り信号の所定の信号特性は、受信された下り信号の電力レベルで表されることを特徴とする付記５１記載のセルラー移動通信網。
【０１６０】
（付記５７）　複数の基地局の各々からの下り信号の受信及び複数の基地局への上り信号の送信が可能である、セルラー移動通信網における移動局であって、
該移動局とソフトハンドオフモードにある複数の基地局の各々に上り信号を送信する送信機と、
複数の基地局の各々から下り信号を受信する受信機と、
該移動局とハンドオフモードにある各々の基地局に識別情報を供給するコントローラと、
を有することを特徴とする移動局。
【０１６１】
（付記５８）　各々の基地局の識別情報を含む識別情報メッセージを発生するメッセージ発生器を更に有し、
該識別情報メッセージは上り信号中に送信される、
ことを特徴とする付記５７記載の移動局。
【０１６２】
（付記５９）　前記識別情報メッセージは、ソフトハンドオフモードにある複数の基地局の各々の基地局に上り信号の制御チャネル中に送信されることを特徴とする付記５８記載の移動局。
【０１６３】
（付記６０）　ソフトハンドオフモードにある複数の基地局からの下り信号の受信及び前記複数の基地局への上り信号の送信が可能である、セルラー移動通信網における移動局であって、
該移動局とソフトハンドオフモードにある各々の基地局に識別情報を供給するコントローラを有することを特徴とする移動局。
【０１６４】
（付記６１）　上り信号中に送信された、各々の基地局の識別情報を含む識別情報メッセージを発生する発生器を更に有することを特徴とする付記６０記載の移動局。
【０１６５】
（付記６２）　前記識別情報メッセージは、ソフトハンドオフモードにある複数の基地局の各々の基地局へ上り信号の制御チャネルで送信されることを特徴とする付記６１記載の移動局。
【０１６６】
（付記６３）　セルラー移動通信網の移動局で使用される電子装置であって、
ソフトハンドオフモードにある複数の基地局の各々に上り信号を送信する送信機と、
複数の基地局の各々からの下り信号を受信する受信機と、
移動局とソフトハンドオフモードにある各々の基地局に識別情報を供給するコントローラと、
を有することを特徴とする電子装置。
【０１６７】
（付記６４）　セルラー移動通信網の移動局で使用される電子装置であって、
移動局とソフトハンドオフモードにある各々の基地局に識別情報を供給するコントローラを有することを特徴とする電子装置。
【０１６８】
（付記６５）　無線チャネルを介して、移動局への下り信号の送信及び該移動局からの上り信号の受信が可能である複数の基地局であって、上り信号を処理するとともに、移動局とソフトハンドオフモードにある複数の基地局のうちの所望の基地局の識別情報を決定するソフトハンドオフ制御ユニットを具備する複数の基地局と、
前記複数の基地局の各々からの下り信号を受信するとともに、前記複数の基地局に上り信号を送信する移動局であって、該移動局とソフトハンドオフモードにある基地局の各々に識別情報を供給するコントローラを具備する移動局と、
を有することを特徴とするセルラー移動通信網。
【０１６９】
（付記６６）　前記移動局が、下り信号を処理するとともに、送信特性に応じた下り信号を比較し、その後の下り信号を送信する所望の基地局を選択する下り信号処理ユニットを有し、
該下り信号処理ユニットは前記所望の基地局を指定するメッセージを発生することを特徴とする付記６５記載のセルラー移動通信網。
【０１７０】
（付記６７）　前記ソフトハンドオフ制御ユニットは、更に、上り信号を処理するとともに、所望の基地局を決定することを特徴とする付記６６記載のセルラー移動通信網。
【０１７１】
（付記６８）　前記複数の基地局の各々は、所望の基地局として識別されない限り、移動局へのその後の下り信号の送信を阻止するスイッチユニットを更に有することを特徴とする付記６６記載のセルラー移動通信網。
【０１７２】
（付記６９）　移動局への複数の基地局からの下り信号の前記送信特性は、受信した下り信号の電力レベルで表されることを特徴とする付記６６記載のセルラー移動通信網。
【０１７３】
（付記７０）　移動局が、無線チャネルを介して、ハンドオフモードにある複数の基地局からの下り信号の受信及び複数の基地局への上り信号の送信を行うセルラー移動通信網であって、
前記移動局は、
前記ハンドオフモードにある複数の基地局から下り信号の信号品質の測定を行うとともに、一番良い信号品質を示す下り信号の基地局一つを選択する選択手段と、
複数の基地局のうち、前記選択手段により選択された基地局を示す上り信号を送信する送信手段と、
を有し、
前記ハンドオフモードにある基地局は、
複数の基地局から選択された基地局を示す上り信号を処理する処理手段と、
自局が選択されていることを識別した基地局は、その後の下り信号を送信し、自局が選択されていないことを認識した基地局はその後の下り信号を送信しないよう制御する制御手段と、
を有する、
ことを特徴とするセルラー移動通信網。
【０１７４】
（付記７１）　無線チャネルを介して、ハンドオフモードにある複数の基地局の各々からの下り信号の受信及び前記複数の基地局への上り信号の送信が可能な移動局であって、
前記複数の基地局からの下り信号の信号品質を測定するとともに、一番良い信号品質を示す下り信号の一つの基地局を選択する選択処理手段と、
複数の基地局のうち、移動局との、その後の通信のために選択された一つの基地局を示す上り信号を送信する送信手段と、
を有することを特徴とする移動局。
【０１７５】
（付記７２）　移動局が、無線チャネルを介して、ハンドオフモードにある複数の基地局からの下り信号の受信及び複数の基地局への上り信号の送信を行うセルラー移動通信網であって、
前記移動局は、
前記ハンドオフモードにある複数の基地局から下り信号の信号品質の測定を周期的に行うとともに、一番良い信号品質を示す下り信号の基地局一つを選択する選択手段と、
複数の基地局のうち、前記選択手段により選択された基地局を示す上り信号を周期的に送信する送信手段と、
を有し、
前記ハンドオフモードにある複数の基地局の各々は、
複数の基地局から選択された基地局を示す上り信号を処理する処理手段と、
前記上り信号により選択された基地局はその後の下り信号を送信し、前記上り信号により選択されていない基地局はその後の下り信号を送信しないよう周期的に制御する制御手段と、
を有する、
ことを特徴とするセルラー移動通信網。
【０１７６】
（付記７３）　無線チャネルを介して、ハンドオフモードにある複数の基地局の各々からの下り信号の受信及び前記複数の基地局への上り信号の送信が可能な移動局であって、
前記複数の基地局からの下り信号の信号品質を周期的に測定するとともに、一番良い信号品質を示す下り信号の一つの基地局を選択する選択処理手段と、
複数のハンドオフモードにある基地局のうち、移動局との、その後の通信のために選択された一つの基地局を示す上り信号を周期的に送信する送信手段と、
を有することを特徴とする移動局。
【０１７７】
（付記７４）　移動局が、無線チャネルを介して、ハンドオフモードにある複数の基地局からの下り信号の受信及び複数の基地局への上り信号の送信を行うセルラー移動通信網で使用される前記基地局であって、
前記移動局が複数の基地局から受信する下り信号に基づいて複数の基地局から選択された基地局を示す上り信号を受信し、処理する処理手段と、
前記上り信号により選択された基地局はその後の下り信号を送信し、前記上り信号により選択されていない基地局はその後の下り信号を送信しないよう周期的に制御する手段と、
を有する、
ことを特徴とする基地局。
【０１７８】
【発明の効果】
本発明によれば、固定網への負荷が低減されたソフトハンドオフ方法を実現することができる。
【図面の簡単な説明】
【図１】ＩＳ９５に準拠したセルラー移動電気通信ネットワークの構成図である。
【図２】図１のネットワークによって行われるソフトハンドオフ動作におけるアップリンク信号の処理を説明するための概略図である。
【図３】ソフトハンドオフ動作におけるダウンリンク信号の処理を説明するための概略図である。
【図４】図１のネットワークにおけるタイムフレームのフォーマットの説明図である。
【図５】本発明を実施する移動電気通信ネットワークの構成図である。
【図６】本発明を実施する移動局の略構成図である。
【図７】図６の移動局におけるアップリンク処理動作を説明するフローチャートである。
【図８】本発明を実施する基地トランシーバー局の略構成図である。
【図９】図８の基地トランシーバー局におけるアップリンク処理を説明するフローチャートである。
【図１０】図８の基地トランシーバー局におけるアップリンク処理に利用される決定テーブルの例を示す図である。
【図１１】本発明を実施する他の基地トランシーバー局の略構成図である。
【図１２】図１０の基地トランシーバー局によるアップリンク処理に利用される決定テーブルの別の例を示す図である。
【図１３】本発明を実施する基地局コントローラの略構成図である。
【符号の説明】
７　　移動交換センタ
８　　セル
９　　ソフトハンドオフ領域
２０　　基地トランシーバー局
３０　　基地局コントローラ
４０　　移動局
４２　　アンテナ素子
４４　　受信部
４６　　送信部
４８　　信号選択情報処理部
【図１】
2004007643.tif 000003
【図２】
2004007643.tif 000004
【図３】
2004007643.tif 000005
【図４】
2004007643.tif 000006
【図５】
2004007643.tif 000007
【図６】
2004007643.tif 000008
【図７】
2004007643.tif 000009
【図８】
2004007643.tif 000010
【図９】
2004007643.tif 000011
【図１０】
2004007643.tif 000012
【図１１】
2004007643.tif 000013
【図１２】
2004007643.tif 000014
【図１３】
2004007643.tif 000015